(57)【要約】  本発明は、インターネットプロトコルテレビジョンシステムにおいて配信ネットワークから加入者の宛先端末にインターネットプロトコル伝送路を介してオブジェクトを送信する方法に関し、該方法においては、加入者プロファイルを求めるステップと、少なくとも１つのカスタマイズされたスポットをインターネットプロトコルテレビ番組に割り当てるステップと、１つ又は複数のオブジェクトを少なくとも１つのカスタマイズされたスポットに割り当てるステップであって、１つ又は複数のオブジェクトは加入者プロファイルに応じて選ばれる、割り当てるステップと、インターネットプロトコルテレビ番組及びカスタマイズされたスポットを宛先端末に提供するステップと、が含まれ、１つ又は複数のオブジェクトは、現実的オブジェクトとして提供される。【選択図】図１
2013537759.tif 000002
【特許請求の範囲】
【請求項１】
インターネットプロトコルベースのテレビジョンシステム（１）において配信ネットワーク（５）から加入者の宛先端末（３０）にインターネットプロトコル伝送路を介してオブジェクト（６１、６２、６３、６４）を送信する方法であって、
加入者プロファイルを求めるステップと、
少なくとも１つのカスタマイズされたスポット（６０）をインターネットプロトコルテレビ番組（５０）に割り当てるステップと、
１つ又は複数のオブジェクト（６１、６２、６３、６４）を前記少なくとも１つのカスタマイズされたスポット（６０）に割り当てるステップであって、前記１つ又は複数のオブジェクト（６１、６２、６３、６４）は、前記加入者プロファイルに応じて選ばれる、割り当てるステップと、
前記インターネットプロトコルベースのテレビ番組（５０）及び前記カスタマイズされたスポット（６０）を、前記宛先端末（３０）に提供するステップと、
を含み、
前記１つ又は複数のオブジェクト（６１、６２、６３、６４）は、現実的オブジェクトとして提供される、方法。
【請求項２】
前記現実的オブジェクト（６１、６２、６３、６４）は、現実世界のオブジェクトの記録された画像である、請求項１に記載の方法。
【請求項３】
インターネットプロトコルベースのテレビジョンシステムにおいて配信ネットワーク（５）から加入者の宛先端末（３０）にインターネットプロトコル伝送路を介してオブジェクト（６１、６２、６３、６４）を送信する方法であって、
加入者プロファイルを求めるステップと、
少なくとも１つのカスタマイズされたスポット（６０）をインターネットプロトコルテレビ番組（５０）に割り当てるステップと、
１つ又は複数のオブジェクト（６１、６２、６３、６４）を前記少なくとも１つのカスタマイズされたスポット（６０）に割り当てるステップであって、前記１つ又は複数のオブジェクト（６１、６２、６３、６４）は、前記加入者プロファイルに応じて選ばれる、割り当てるステップと、
前記インターネットベースのプロトコルテレビ番組（５０）及び前記カスタマイズされたスポット（６０）を、前記宛先端末（３０）に提供するステップと、
を含み、
前記加入者プロファイルを求めるステップは、前記加入者に提供されるサービスによってリンクされたデータを用いて行われ、前記サービスは、前記インターネットプロトコルベースのテレビサービスとは異なる、方法。
【請求項４】
前記加入者プロファイルを求めるステップは、前記宛先端末（３０）と前記配信ネットワーク（５）との間の前記インターネットプロトコル伝送路上で搬送されるデータを用いて行われる、請求項３に記載の方法。
【請求項５】
前記インターネットプロトコルベースのテレビサービスは、ヘッドエンド（１０）からマルチキャストポイント（２０）へのマルチキャスト送信と、前記マルチキャストポイント（２０）から前記宛先端末（３０）へのユニキャスト送信とを用いて提供される、請求項１乃至４のいずれか１項に記載の方法。
【請求項６】
フィードバック情報が前記配信ネットワーク（５）に送信され、それにより、前記オブジェクト（６１、６２、６３、６４）を前記少なくとも１つのカスタマイズされたスポット（６０）に割り当てるステップが、前記フィードバック情報に応じて行われる、請求項１乃至５のいずれか１項に記載の方法。
【請求項７】
前記宛先端末（３０）は、複数の宛先端末（３０）からなるグループに属し、該宛先端末（３０）からなるグループは、所定の時間間隔内で同一又は少なくとも類似のオブジェクト（６１、６２、６３、６４）を受信するようになっている、請求項１乃至６のいずれか１項に記載の方法。
【請求項８】
前記宛先端末（３０）は、複数の宛先端末（３０）からなるグループに属し、該宛先端末（３０）からなるグループは、特定のインターネットプロトコルベースのテレビ番組（５０）とともに、前記複数の宛先端末（３０）からなるグループ内及び所定の時間間隔内で同一又は少なくとも類似である少なくとも１つのカスタマイズされたスポット（６０）を受信する、請求項１乃至６のいずれか１項に記載の方法。
【請求項９】
前記オブジェクト（６１、６２、６３、６４）は、ビデオオブジェクト及び／又はオーディオオブジェクト及び／又はオーディオビジュアルオブジェクト及び／又は知覚オブジェクトである、請求項１乃至８のいずれか１項に記載の方法。
【請求項１０】
インターネットプロトコルベースのテレビジョンシステム（１）において配信ネットワーク（５）から加入者の宛先端末（３０）にインターネットプロトコル伝送路を介してオブジェクト（６１、６２、６３、６４）の送信を提供するシステム（１）であって、加入者プロファイルが求められ、インターネットプロトコルベースのテレビ番組（５０）に少なくとも１つのカスタマイズされたスポットが割り当てられ、前記少なくとも１つのカスタマイズされたスポット（６０）に１つ又は複数のオブジェクト（６１、６２、６３、６４）が割り当てられ、該１つ又は複数のオブジェクト（６１、６２、６３、６４）は、前記加入者プロファイルに応じて選ばれ、前記宛先端末（３０）に、前記インターネットプロトコルベースのテレビ番組（５０）及び前記カスタマイズされたスポット（６０）が送信され、前記１つ又は複数のオブジェクト（６１、６２、６３、６４）は、現実的オブジェクトとして提供される、システム。
【請求項１１】
コンピュータ可読プログラムコードを含むプログラムであって、該コンピュータ可読プログラムコードは、コンピュータにおいて実行されると、該コンピュータに、請求項１乃至９のいずれか１項に記載の方法を実行させる、プログラム。
【発明の詳細な説明】
【技術分野】
【０００１】
本発明は、インターネットプロトコルベースのテレビジョンシステムにおいて配信ネットワークから加入者の宛先端末にインターネットプロトコル伝送路を介してオブジェクトを送信する方法に関する。さらに、本発明は、インターネットプロトコルテレビジョンシステムにおいて配信ネットワークから加入者の宛先端末へインターネットプロトコル伝送路を介してオブジェクトの送信を提供するシステムに関する。
【背景技術】
【０００２】
広告媒体としてのテレビは、１９３９年の開始以来大きな進歩を遂げてきた。デジタル技術の最近の進歩によって、今や、視聴者は、視聴する番組を選ぶ際に非常に大きな選択性を有することが可能である。デジタル技術の他の進歩は、ホッケー用パックの「テール（tail）」又はフットボール競技場におけるオーバレイされたファーストダウンマーカーのような番組作成の高度化（programming enhancement）につながっている。同じ技術的進歩によって、広告を流れるように（currently）提示する方法の改良が可能である。多くのスポーツイベントが、今や、ビデオに含まれる仮想オブジェクト広告とともに提示される。例えば、メジャーリーグベースボールの試合の放送は、広告が表示される１つ又は複数の仮想オブジェクトスポットを含むことができる。その場合、それらの広告は、試合を見に行っているファンではなくテレビ視聴者によって見られる。しかしながら、それらの広告は固定されており、個々の視聴者に応じて変化しない。さらに、広告は、目下のところ以下の特徴を有する。すなわち、
−−広告は、必ずしもテレビ番組のコンテンツと関連があるものではない；
−−広告は、番組の全ての受信機又は（地理的な区別がある場合にも）少なくとも膨大な数の受信機に放送される；
−−広告は、テレビ番組の特定の受信機にも特定の加入者にも全くパーソナライズされていない。
【０００３】
今日のテレビ番組及び関連付けられた広告スポットのこれらの特徴及び他の特徴は、パーソナライズ又はカスタマイズされた広告が今日可能ではないという欠点を有する。
【発明の概要】
【０００４】
本発明の目的は、コンテンツ、および関連付けられたオブジェクト、好ましくは広告オブジェクトのパーソナライズ又はカスタマイズされた送達が、便利かつ容易でコスト効率のよい方法で可能となるように、インターネットプロトコルベースのテレビジョンシステムにおいてオブジェクトを送信する方法を提供することである。
【０００５】
本発明の目的は、インターネットプロトコルベースのテレビジョンシステムにおいて配信ネットワークから加入者の宛先端末にインターネットプロトコル伝送路を介してオブジェクトを送信する方法によって達成され、該方法においては、
加入者プロファイルを求めるステップと、
少なくとも１つのカスタマイズされたスポットをインターネットプロトコルベースのテレビ番組に割り当てるステップと、
１つ又は複数のオブジェクトを前記少なくとも１つのカスタマイズされたスポットに割り当てるステップであって、前記１つ又は複数のオブジェクトは前記加入者プロファイルに応じて選ばれる、割り当てるステップと、
前記インターネットプロトコルテレビ番組及び前記カスタマイズされたスポットを前記宛先端末に提供するステップと、
が含まれ、
前記１つ又は複数のオブジェクトは、現実的、組込みオブジェクト、特にビデオオブジェクトとして提供される。
【０００６】
それによって、有利には、オブジェクトの品質を高め、したがって、宛先端末及び加入者に送信されるインターネットプロトコルベースのテレビ番組の品質を高めることが可能である。
【０００７】
本発明によれば、前記現実的オブジェクトは、現実世界のオブジェクトの記録された画像であり、該画像は、特にカメラによって記録されることが好ましい。
【０００８】
本発明の目的は、インターネットプロトコルベースのテレビジョンシステムにおいて配信ネットワークから加入者の宛先端末にインターネットプロトコル伝送路を介してオブジェクトを送信する方法によっても達成され、該方法においては、
加入者プロファイルを求めるステップと、
少なくとも１つのカスタマイズされたスポットをインターネットプロトコルテレビ番組に割り当てるステップと、
１つ又は複数のオブジェクトを前記少なくとも１つのカスタマイズされたスポットに割り当てるステップであって、前記１つ又は複数のオブジェクトは前記加入者プロファイルに応じて選ばれる、割り当てるステップと、
前記インターネットプロトコルベースのテレビ番組及び前記カスタマイズされたスポットを前記宛先端末に提供するステップと、
が含まれ、
前記加入者プロファイルを求めるステップは、前記加入者に提供されたサービスによってリンクされたデータを用いて行われ、前記サービスは、前記インターネットプロトコルベースのテレビサービスとは異なる。
【０００９】
それによって、本発明によれば、有利には、インターネットプロトコルベースのテレビサービスのインタフェースを介して送信されるデータ以外のデータに基づいて加入者プロファイルを適合させるか又は変更することが可能であり、例えば、加入者プロファイルを求めるために、加入者のウェブサーフィング中に得られるデータを用いることが可能である。
【００１０】
本発明によれば、インターネットプロトコルベースのテレビ番組のコンテンツ情報（インターネットプロトコルベースのテレビサービスによって送信される主要コンテンツとも呼ばれる）は、その番組に割り当てられた、カスタマイズされたスポットによって高度化される。このカスタマイズされたスポットは、ほとんど場合、例えば広告情報によって番組（又は主要コンテンツ）を高度化するのに用いられる。従来、そのような広告情報は、単純に、番組を中断することによって番組に割り当てられていたが、この単純なやり方は、顧客又は加入者によってもはや評価されない。したがって、インターネットプロトコルベースのテレビ番組コンテンツをカスタマイズされたスポットのコンテンツと結合する、より知的な実現法が本発明において提案される。例えば、カスタマイズされたスポットは、インターネットプロトコルテレビベースの番組のうち、カスタマイズされたスポットによって置き換えられる（又はオーバレイされる）部分を規定することによって、インターネットプロトコルベースのテレビ番組に割り当てることができる。ここで、置き換えられるか又はオーバレイされる部分は、必ずしも、インターネットプロトコルベースのテレビ番組のフルフレーム画像のシーケンスを形成しない。本発明によれば、インターネットプロトコルベースのテレビ番組のビデオ及び／又はオーディオの素材部分は、カスタマイズされたスポットのビデオ及び／又はオーディオの素材によって置き換えられるか又はオーバレイされ、カスタマイズされたスポット自体は、少なくとも１つのオブジェクト（ただし好ましくは複数のオブジェクト）を含むので、インターネットプロトコルベースのテレビ番組の少なくとも一部（好ましくは複数の部分）は、この単数又は複数のオブジェクトによっても置き換えられる。それによって、有利には、インターネットプロトコルベースのテレビ番組において、広告コンテンツをより知的な方法で統合することが可能である。例えば、元のインターネットプロトコルベースのテレビ番組コンテンツのコンテンツを、カスタマイズされたスポットに割り当てられた、カスタマイズされたスポットのコンテンツ及び複数のオブジェクト（又は１つのオブジェクト）によって置き換えるのに、ＭＰＥＧ４標準規格に記載された機能を用いることが可能である。ＭＰＥＧ４標準規格の機能のうちの少なくとも幾つかは、ISO/IEC JTC１/SC29/WG11 N4668, March 2002という文献に記載されている。この文献は、参照することによってその全内容が本特許出願の一部をなすものとする。この文献は、「http://mpeg.chiariglione.org/standards/mpeg-4/mpeg-4.htm」に基づいてダウンロードすることができる。本発明によれば、例えば、インターネットプロトコルベースのテレビ番組に割り当てられた１つ又は複数のオブジェクトを含むカスタマイズされたスポットによって次のタイプの置き換えを提供することが可能である。フィルム映像において、或る俳優が第１のブランドの飲み物の缶を手に持っている。本発明によれば、インターネットプロトコルベースのテレビ番組が、カスタマイズされたスポットとともに宛先端末に送達されるとき、顧客又は加入者が実際に見る物は別のブランドの飲み物の缶とすることが可能である。カスタ���イズされたスポットを用いることによって、本発明によれば、有利には、インターネットプロトコルベースのテレビ番組の複数の部分をカスタマイズされたスポットのコンテンツ及び／又はカスタマイズされたスポットに割り当てられた複数のオブジェクト（又は１つのオブジェクト）による置き換えに指定することが可能である。
【００１１】
本発明において、「スポット」又は「カスタマイズされたスポット」という用語は、少なくとも１つのオブジェクト（すなわち１個〜ｎ個のオブジェクト（ｎは整数である））が割り当てられるエンティティを指す。本発明によれば、そのようなスポット又はカスタマイズされたスポットは、割り当てられたオブジェクトのそれぞれについて、１つの定義された識別子を更に含むことが好ましい。この定義された識別子は、関係付けられたオブジェクトに明瞭に割り当てられることが好ましい。すなわち、カスタマイズされたスポットの構造内に、一方の識別子と他方のオブジェクトとの間の１対１の関係が存在することが好ましい。本発明によれば、更なる情報を識別子（又はスポットのオブジェクト）の属性とすることができることが更に好ましい。そのような更なる情報は、例えば次のものを含む。
−−（インターネットプロトコルベースのテレビ番組コンテンツの）フレームのうちの単数又は複数のいずれのフレームにオブジェクトが現われるのかの指定、
−−オブジェクトの見え方、向き若しくは視認方向、及び／又は変形についての指定、
−−オブジェクトの明度及び／又はコントラストに関係する指定。
【００１２】
本発明によれば、前記加入者プロファイルを求めるステップは、前記宛先端末と前記配信ネットワークとの間の前記インターネットプロトコル伝送路上で搬送されるデータを用いて行われることが更に好ましい。
【００１３】
それによって、有利には、加入者プロファイルを確立するのに、加入者のオンラインの活動から得られるデータを用いることが可能である。本発明の好ましい実施の形態によれば、インターネットプロトコルベースのテレビサービスを提供するサービスプロバイダは、宛先端末と配信ネットワークとの間においてインターネットプロトコル伝送路上で送信される別のオンラインサービスを提供するサービスプロバイダと同一であるか、又はインターネットプロトコルテレビサービスを提供するサービスプロバイダは、宛先端末と配信ネットワークとの間においてインターネットプロトコル伝送路上で送信される別のオンラインサービスを提供するサービスプロバイダに少なくともリンクされている。それによって、有利には、加入者プロファイルを求めるのに、得られたデータを用いることが可能である。
【００１４】
本発明によれば、前記インターネットプロトコルベースのテレビサービスは、ヘッドエンドからマルチキャストポイントへのマルチキャスト送信と、前記マルチキャストポイントから前記宛先端末へのユニキャスト送信とを用いて提供されることも好ましい。
【００１５】
それによって、有利には、インターネットプロトコルテレビのヘッドエンドから宛先端末へのインターネットプロトコルベースのテレビコンテンツデータの効率的な搬送を実現することが可能であり、それにもかかわらず、インターネットプロトコルベースのテレビコンテンツのパーソナライズ又はカスタマイズされた送達を提供することが可能である。
【００１６】
さらに、本発明によれば、フィードバック情報が前記配信ネットワークに送信され、それにより、前記オブジェクトを前記少なくとも１つのカスタマイズされたスポットに割り当てるステップが前記フィードバック情報に応じて行われることが好ましい。
【００１７】
それによって、有利には、インターネットプロトコルベースのテレビサービスの加入者又はユーザは、少なくとも一部において、少なくとも１つのカスタマイズされたスポットに割り当てられたオブジェクトを選ぶことが可能である。例えば、加入者はオブジェクト内で広告された製品を選ぶことが可能である。例えば、本発明のこの実施の形態によれば、加入者は、インターネットプロトコルベースのテレビ番組のコンテンツの複数の部分が置き換えられることを防ぐ（又は主要コンテンツの複数の部分が置き換えられることを防ぐ）ことを選んだ場合、そのようなことができるということが可能である。
【００１８】
本発明の別の好ましい実施の形態によれば、前記宛先端末は、複数の宛先端末からなるグループに属し、該宛先端末からなるグループは、所定の時間間隔内で同一又は少なくとも類似のオブジェクトを受信するようになっている。代替的な実施の形態によれば、本発明によると、前記宛先端末は、複数の宛先端末からなるグループに属し、該宛先端末からなるグループは、特定のインターネットプロトコルベースのテレビ番組とともに、前記複数の宛先端末からなるグループ内及び所定の時間間隔内で同一又は少なくとも類似である少なくとも１つのカスタマイズされたスポットを受信することも好ましい。
【００１９】
それによって、有利には、インターネットプロトコルベースのテレビ番組とともに送達される少なくとも１つのカスタマイズされたスポットに関係したオブジェクトの配信における複雑度を低減することが可能である。
【００２０】
本発明の全ての実施の形態によれば、少なくとも１つのカスタマイズされたスポットに割り当てられるオブジェクトはビデオオブジェクトであることが非常に好ましい。代替的に又は付加的に、少なくとも１つのカスタマイズされたスポットに割り当てられるオブジェクトは、オーディオオブジェクト又はオーディオビジュアルオブジェクトとすることもできる。本発明の別の実施の形態によれば、少なくとも１つのカスタマイズされたスポットに割り当てられるオブジェクトは、例えば、嗅覚すなわちにおいの感覚に関係する知覚オブジェクトとすることもできる。本発明の別の実施の形態によれば、少なくとも１つのカスタマイズされたスポットに割り当てられるオブジェクトは、触覚とすることもでき、すなわち接触の感覚に関係付けることができる。
【００２１】
本発明はまた、インターネットプロトコルベースのテレビジョンシステムにおいて配信ネットワークから加入者の宛先端末へインターネットプロトコル伝送路を介してオブジェクトの送信を提供するシステムにも関し、該システムにおいては、加入者プロファイルが求められ、インターネットプロトコルベースのテレビ番組に少なくとも１つのカスタマイズされたスポットが割り当てられ、前記少なくとも１つのカスタマイズされたスポットに１つ又は複数のオブジェクトが割り当てられ、該１つ又は複数のオブジェクトは前記加入者プロファイルに応じて選ばれ、前記宛先端末に前記インターネットプロトコルベースのテレビ番組及び前記カスタマイズされたスポットが送信され、前記１つ又は複数のオブジェクトは現実的オブジェクトとして提供される。
【００２２】
さらに、本発明は、本発明の方法を実行するか又は本発明のシステムを構成若しくは制御するコンピュータ可読プログラムコードを含むプログラムに関する。
【００２３】
宛先端末は、テレビの回路に組み込むことができ、それによって、別個の制御デバイスをテレビに取り付ける必要がなくなる。代替的に、受信側は、パーソナルコンピュータ、パーソナルデータデバイス、ディスプレイ付きスマートフォン、又は電子ブックデバイスに組み込むことができる。
【図面の簡単な説明】
【００２４】
【図１】インターネットプロトコルベースのテレビにおいて配信ネットワークから宛先端末へオブジェクトの送信を提供する本発明のシステムの概観を概略的に示す図である。
【図２】宛先端末に送達又は送信されたカスタマイズされたスポットを有する番組を概略的に示す図である。
【発明を実施するための形態】
【００２５】
（詳細な説明）
配信ネットワーク５から宛先端末３０へのインターネットプロトコルベースのテレビジョンシステムにおけるオブジェクトの送信を提供するシステムの概観が図１に示されている。配信ネットワーク５の一部として、インターネットプロトコルベースのテレビのヘッドエンド１０が、主要コンテンツデータすなわちインターネットプロトコルベースのテレビ番組の送信元である。インターネットプロトコルベースのテレビジョンシステムの配信のみの実施形態では、そのような主要コンテンツすなわちインターネットプロトコルテレビベースの番組は、未変更の形態であるか又は少なくともカスタマイズされた方法でないかのいずれかで宛先端末３０に送信される。このカスタマイズされた方法とは、すなわち加入者に対して個別にカスタマイズされているか又は具体的に規定された加入者グループに対してグループカスタマイズされているということである。図１に示す実施形態では、配信ネットワーク５は、ヘッドエンド１０と宛先端末３０との間の伝送路上に設けられているマルチキャストポイント２０も備える。このマルチキャストポイント２０は、加入者への（すなわち宛先端末３０への）インターネットプロトコルベースのテレビ番組の配信を容易にする中間配信ポイントとしての役割を果たす。
【００２６】
本発明によれば、インターネットプロトコルベースのテレビ番組コンテンツは、宛先端末に未変更のままで送達されず、すなわち、少なくとも本発明によればインターネットプロトコルベースのテレビ番組コンテンツを変更することが可能である。本発明によれば、この変更は、インターネットプロトコルテレビ番組に割り当てられた、すなわち主要コンテンツに割り当てられた、カスタマイズされたスポットによって提供される。カスタマイズされたスポットを用いることによって、本発明によれば、有利には、インターネットプロトコルベースのテレビ番組の複数の部分を、カスタマイズされたスポットのコンテンツ及び／又はカスタマイズされたスポットに割り当てられた複数のオブジェクト（又は１つのオブジェクト）による置き換えに指定することが可能である。カスタマイズされたスポットは、１つ又は複数のオブジェクトを含む。図２では、これは、概略的に表されており、主要コンテンツ、すなわちインターネットプロトコルベースのテレビ番組５０には、カスタマイズされたスポット６０が割り当てられているか又は関連付けられている。カスタマイズされたスポット６０は、１つ又は複数のオブジェクトを含み、図２に示す事例では、これらのオブジェクトは、第１のオブジェクト６１、第２のオブジェクト６２、第３のオブジェクト６３、及び第４のオブジェクト６４を含む。
【００２７】
（主要コンテンツに対応する）インターネットプロトコルベースのテレビ番組コンテンツの変更は、配信ネットワーク５の更なるネットワーク構成要素によって行われる。図１に表された例では、これらの更なるネットワーク構成要素は以下のものを含む。
−−インターネットプロトコルベースのテレビサービスの特定の加入者又は顧客のユーザデータ又は加入者プロファイル（又は特定の加入者グループの加入者プロファイルデータ）を含むデータベースネットワークエンティティＤ、
−−単数の特定のカスタマイズされたスポット（又は複数の特定のカスタマイズされたスポット）及び／又は（複数又は単数のカスタマイズされたスポットに割り当てられる）特定のオブジェクト ６１、６２、６３、６４若しくはオブジェクト６１、６２、６３、６４からなる特定のグループを特定のインターネットプロトコルテレビ番組、例えば映画に割り当てるために、それらのスポット及び／又はオブジェクトを含む、オブジェクト及び／又はスポットから映画へのマトリックスエンティティＯ、
−−元のインターネットプロトコルベースのテレビ番組コンテンツと交換に宛先端末に送達されるインターネットプロトコルベースのテレビ番組コンテンツ内に挿入するのに利用可能な様々なオブジェクト６１、６２、６３、６４のプールを含む広告エンティティＷ、
−−まだ用いられていない様々なオブジェクト６１、６２、６３、６４のプールを含む更なる広告エンティティＷ’、
−−様々なインターネットプロトコルベースのテレビ番組へのオブジェクトの配信及びマルチキャストポイント２０への送信を制御する制御エンティティＫ。
【００２８】
以下では、本発明による方法を一例に関して概略的に説明する。制御エンティティＫは、データベースネットワークエンティティＤ、オブジェクトから映画へのマトリックスエンティティＯ、広告エンティティＷ、及びインターネットプロトコルベースのテレビのヘッドエンド１０と接続されている。特定の加入者又は加入者グループの加入者プロファイルが求められ、データベースネットワークエンティティＤに記憶されているものと仮定する。インターネットプロトコルベースのテレビのヘッドエンド１０から、特定のインターネットプロトコルベースのテレビ番組、例えば映画が特定の加入者又は加入者グループによって要求されていることを示す、その加入者又は加入者グループに関する情報が、制御エンティティＫによって受信される。本発明によれば、制御エンティティＫは、情報ストリーム又はコンテンツストリームを宛先端末、すなわち加入者（又は加入者グループ）への送達又は送信のために順にマルチキャストポイント２０に送達する。情報ストリーム又はコンテンツストリームをマルチキャストポイント２０に送達する前に、カスタマイズされたスポット６０が、インターネットプロトコルテレビ番組に割り当てられ、１つ又は複数のオブジェクト６１、６２、６３、６４が、（加入者プロファイルに応じて）そのカスタマイズされたスポット６０に割り当てられる必要がある。
【００２９】
少なくとも１つのカスタマイズされたスポット６０をインターネットプロトコルベースのテレビ番組５０に割り当てるステップと、１つ又は複数のオブジェクト６１、６２、６３、６４をカスタマイズされたスポットに割り当てるステップとのこれらの２つのステップを以下に説明する。
−−（インターネットプロトコルベースのテレビのヘッドエンド１０から受信された）加入者（又は加入者グループ）に関する情報を用いて、制御エンティティＫが、加入者プロファイルをデータベースネットワークエンティティＤから検索し、
−−インターネットプロトコルテレビベースの番組コンテンツに挿入される、広告エンティティＷ及び更なる広告エンティティＷ’において利用可能な様々なオブジェクト６１、６２、６３、６４のプールに応じて、要求されたインターネットプロトコルベースのテレビ番組に割り当てるカスタマイズされたスポットが制御エンティティＫによって決定され、
−−オブジェクトから映画へのマトリックスエンティティＯによって、カスタマイズされたスポットに割り当てられるオブジェクト６１、６２、６３、６４が具体的に選ばれ、スポット６０に割り当てられ、それによって、宛先端末３０に送達される全体的なメディアコンテンツ、すなわちインターネットプロトコルテレビ番組５０だけでなく、（オブジェクト６１、６２、６３、６４を含む）カスタマイズされたスポット６０も含むメディアコンテンツが、マルチキャストポイント２０による配信のために準備される。
【００３０】
本発明によれば、加入者プロファイルは、他の広告要素に関する幾つかのブランド又は広告要素に関係付けられた加入者の好みに関する指定又は情報を含むことが好ましい。有利には、これらの好み又はこの好み情報は、カスタマイズされたスポット６０をインターネットベースのプロトコルテレビ番組５０に割り当てるプロセス中、及びオブジェクト６１、６２、６３、６４をカスタマイズされたスポット６０に割り当てるプロセス中に考慮することができる。
【図１】
2013537759.tif 000003
【図２】
2013537759.tif 000004
【国際調査報告】
2013537759.tif 000005
2013537759.tif 000006